(57)【要約】【課題】処理室内の生ゴミの深部にまで紫外線が行き渡り、光触媒による有機物分解が効率よく行われる生ゴミ処理装置を提供する。【解決手段】ケーシング１内に透明な粒体２が収容されている。天蓋７を開け、生ゴミを入れると共に、粒体２が不足するときには粒体を加える。天蓋７を閉めた後、ＵＶＬＥＤ９を点灯し、撹拌機３及び排気ファン４を作動させる。ＵＶＬＥＤ９からの紫外線は、ケーシング１内の生ゴミ及び粒体２の上面に照射され、その一部は粒体２を通って隣接する粒体２にも入る。このため、紫外線がケーシング１内の全体に行き渡るようになり、ケーシング１内の全体において光触媒作用により有機物が効率よく分解される。【選択図】図１
2006281161.tif 000002
【特許請求の範囲】
【請求項１】
生ゴミ処理室内に紫外線を照射する紫外線照射手段を備えた生ゴミ処理装置において、
紫外線透過性を有し、且つ光触媒を保持した粒体を生ゴミ処理室内に収容してなることを特徴とする生ゴミ処理装置。
【請求項２】
請求項１において、前記紫外線照射手段として、紫外線発光体と、該紫外線発光体に給電する圧電素子と、該圧電素子に打撃を与える打撃体とが前記粒体内に設けられていることを特徴とする生ゴミ処理装置。
【発明の詳細な説明】
【技術分野】
【０００１】
本発明は、紫外線透過性を有し、且つ光触媒を保持した粒体を用いた生ゴミ処理装置に関する。
【背景技術】
【０００２】
処理室内面に光触媒コーティングを施してなり、この処理室内に収容した生ゴミに対し紫外線を照射することにより、生ゴミを分解したり堆肥化したりすることが特開２００３−３３５５９１号に記載されている。
【０００３】
特開２００３−３０５４３７号には、処理すべき生ゴミに光触媒パウダーを添加し、この生ゴミを生ゴミ処理装置内で紫外線照射しながら処理することが記載されている。
【特許文献１】特開２００３−３３５５９１号
【特許文献２】特開２００３−３０５４３７号
【特許文献３】特開２００５−２１４９６号
【特許文献４】特開２００１−１１２８５５号
【発明の開示】
【発明が解決しようとする課題】
【０００４】
本発明は、処理室内の生ゴミの深部にまで紫外線が行き渡り、光触媒による有機物分解が効率よく行われる生ゴミ処理装置を提供することを目的とする。
【課題を解決するための手段】
【０００５】
請求項１の生ゴミ処理装置は、生ゴミ処理室内に紫外線を照射する紫外線照射手段を備えた生ゴミ処理装置において、少なくとも一部が紫外線透過性を有し、且つ光触媒を保持した粒体を生ゴミ処理室内に収容してなることを特徴とするものである。
【０００６】
なお、生ゴミは、家庭から排出される調理屑に限らず、農作物の廃棄物や動物の排泄物等であってもよい。
【０００７】
請求項２の生ゴミ処理装置は、請求項１において、前記紫外線照射手段として、紫外線発光体と、該紫外線発光体に給電する圧電素子と、該圧電素子に打撃を与える打撃体とが前記粒体内に設けられていることを特徴とするものである。
【発明の効果】
【０００８】
請求項１の生ゴミ処理装置にあっては、処理室内に照射された紫外線の一部が、紫外線透過性を有した粒体を透過するので、処理室内の生ゴミの深部にまで到達する。この粒体が光触媒を保持しているので、生ゴミの深部においても光触媒作用による生ゴミの分解等の処理が効率よく行われる。
【０００９】
請求項２の生ゴミ処理装置によると、粒体が転動したときに圧電素子が打撃体によって打撃されて起電力を発生させ、この電力によって紫外線発光体が発光する。これにより、十分な量の紫外線を生ゴミの深部にまで供給し、処理効率をきわめて効率よく行うことが可能である。
【発明を実施するための最良の形態】
【００１０】
以下、図面を参照して実施の形態について説明する。図１は実施の形態に係る生ゴミ処理装置の断面図である。
【００１１】
上開容器状のケーシング１内にガラス等の紫外線透過性を有した粒体２が収容されている。なお、ケーシング１内に収容した粒子のすべての粒体が紫外線透過性を有していてもよく、一部の粒体は紫外線透過性を有していなくてもよい。紫外線透過性を有する粒体は、粒子全体がガラス等の紫外線透過材料より成っていてもよく、一部は紫外線透過性を有しない材料より成ってもよい。この粒体２の表面に酸化チタン等の光触媒のコーティングが施されている。この粒体２の平均粒径は３〜３０ｍｍ程度が好適である。
【００１２】
この粒体２及び生ゴミを撹拌するために撹拌機３が設置されている。この撹拌機３は、モータ３ａと、該モータ３ａに連結された回転軸３ｂと、該回転軸３ｂから放射方向に設けられた撹拌翼３ｃとを有する。
【００１３】
ケーシング１の上部には排気ファン４及び排気口５が設けられており、この排気口５内に活性炭フィルタ等の脱臭エレメント６が設置されている。ケーシング１の頂部に天蓋７がヒンジ８によって開閉自在に取り付けられている。この天蓋７の下面に紫外線光源としてＵＶＬＥＤ９が設けられている。
【００１４】
ケーシング１の下部には、処理物の取り出し用の開口１０と、該開口１０を開閉するための蓋１１が設けられている。図示はしないが、ケーシング１内を加熱するためのヒータを設けてもよい。
【００１５】
この生ゴミ処理装置によって生ゴミを処理するには、天蓋７を開け、生ゴミを入れると共に、粒体２が不足するときには粒体を加える。次いで、天蓋７を閉めた後、ＵＶＬＥＤ９を点灯し、撹拌機３及び排気ファン４を作動させる。
【００１６】
ＵＶＬＥＤ９からの紫外線は、ケーシング１内の生ゴミ及び粒体２の上面に照射され、その一部は粒体２を通って隣接する粒体２にも入る。このため、紫外線がケーシング１内の全体に行き渡るようになり、ケーシング１内の全体において光触媒作用により有機物が効率よく分解される。なお、排気ファン４により、水分がケーシング１外へ排出される。
【００１７】
生ゴミの分解が十分に行われた後、ＵＶＬＥＤ９を消灯し、撹拌機３及び排気ファン４を停止し、蓋１１を開け、分解物を取り出す。この際、少なくとも一部の粒体２も取り出されるので、粒体２を分離してケーシング１内に戻す。
【００１８】
なお、開口１０に粒体２よりも目の細かい網を取り付けておき、蓋１１を開けるときに撹拌機３を作動させておき、生ゴミ分解物のみを排出させるようにしてもよい。
【００１９】
上記実施の形態では光触媒を粒体２にコーティングしているが、粒体２の組成自体が光触媒を含むものであってもよい。ケーシング１の内面に光触媒のコーティングを施してもよい。
【００２０】
図１では天蓋７にＵＶＬＥＤ９を設けているが、紫外線ＥＬや紫外線ランプなどＵＶＬＥＤ以外の紫外線光源を用いてもよい。また、ケーシング１の少なくとも一部を透明とし、この透明部分を通してケーシング１内に紫外線光源からの紫外線を照射してもよい。この場合の紫外線光源は太陽光であってもよい。
【００２１】
本発明では、ケーシング内に収容する粒子に紫外線発光機能を具備させてもよい。図３はかかる紫外線発光機能を有した粒子の一例を示す断面図である。
【００２２】
この粒子３０は、透明なガラスよりなる球殻３１と、該球殻３１内に、内側に小室を区画形成するように配置された圧電素子３２と、該小室内に収容された鋼球等よりなる打撃体３３と、この圧電素子３２から給電されるＵＶＬＥＤ３４とを有する。
【００２３】
この粒子３０がケーシング１内に収容され、前記撹拌翼３ｃによって撹拌されると、打撃体３３が圧電素子３２を打撃し、圧電素子３２に起電力が発生し、この起電力によってＵＶＬＥＤ３４が点灯し、紫外線が発光する。この紫外線が球殻３１を通って周囲の生ゴミに照射される。
【００２４】
図２は配管洗浄方法の一例を示す断面図である。
【００２５】
排水用の配管２０内の洗浄を行う場合、ガラス等の紫外線透過性材料よりなり、表面に光触媒コーティングされた粒体２２を配管２０内に供給し、紫外線ランプ、ＵＶＬＥＤ等の紫外線光源２１を用いて配管２０内に紫外線を照射する。
【００２６】
この紫外線は、粒体２２を透過し、配管２０の奥にまで達するので、配管２０の奥まで光触媒作用によって有機物が分解される。
【００２７】
所定の時間が経過した後、配管２０内に水を供給し、粒体２２を押し流す。押し流された粒体２２は、例えばマンホールや汚水枡（図示略）に配置した篭などによって回収される。
【００２８】
この配管２０としては、ディスポーザにより破砕された破砕物が流れる配管や、トイレの排水管が例示されるが、これに限定されない。
【図面の簡単な説明】
【００２９】
【図１】実施の形態に係る生ゴミ処理装置の断面図である。
【図２】実施の形態に係る配管洗浄方法の説明図である。
【図３】紫外線発光機能を有した粒子の断面図である。
【符号の説明】
【００３０】
１  ケーシング
２，２２  粒体
３  撹拌機
４  排気ファン
７  天蓋
９  ＵＶＬＥＤ
２０  配管
２１  紫外線光源
３０  紫外線発光機能を有する粒子
３２  圧電素子
３３  打撃体
３４  ＵＶＬＥＤ
【図１】
2006281161.tif 000003
【図２】
2006281161.tif 000004
【図３】
2006281161.tif 000005